(57)【特許請求の範囲】
【請求項１】
透光性基板に光源が搭載されてなる照明ユニットにおいて、
上記透光性基板の前方側に第１ハーフミラーが配置されるとともに、上記透光性基板の後方側にミラーが配置されており、
上記光源からの出射光を、上記第１ハーフミラーおよび上記ミラー間において上記透光性基板を透過させるようにして繰り返し反射させながら、上記第１ハーフミラーから前方へ向けて出射させるように構成されており、
上記透光性基板と上記ミラーとの間に第２ハーフミラーが配置されている、ことを特徴とする照明ユニット。
【請求項２】
透光性基板に光源が搭載されてなる照明ユニットにおいて、
上記透光性基板の前方側に第１ハーフミラーが配置されるとともに、上記透光性基板の後方側にミラーが配置されており、
上記光源からの出射光を、上記第１ハーフミラーおよび上記ミラー間において上記透光性基板を透過させるようにして繰り返し反射させながら、上記第１ハーフミラーから前方へ向けて出射させるように構成されており、
上記透光性基板と上記第１ハーフミラーとの間に透明部材が配置されており、
上記透明部材が、該透明部材の第１面を上記透光性基板に接触させるとともに該透明部材の第２面を上記第１ハーフミラーに接触させるようにして配置されており、
上記透光性基板ならびに上記第１ハーフミラーおよび上記ミラーが、前方側に突出するとともに所定の方向に延びる曲面に沿って形成されている、ことを特徴とする照明ユニット。
【請求項３】
透光性基板に光源が搭載されてなる照明ユニットにおいて、
上記透光性基板の前方側に第１ハーフミラーが配置されるとともに、上記透光性基板の後方側にミラーが配置されており、
上記光源からの出射光を、上記第１ハーフミラーおよび上記ミラー間において上記透光性基板を透過させるようにして繰り返し反射させながら、上記第１ハーフミラーから前方へ向けて出射させるように構成されており、
上記透光性基板と上記ミラーとの間に透明部材が配置されており、
上記透明部材が、該透明部材の第１面を上記透光性基板に接触させるとともに該透明部材の第２面を上記ミラーに接触させるようにして配置されており、
上記透光性基板ならびに上記第１ハーフミラーおよび上記ミラーが、前方側に突出するとともに所定の方向に延びる曲面に沿って形成されている、ことを特徴とする照明ユニット。
【請求項４】
上記透光性基板と上記ミラーとの間に第２ハーフミラーが配置されている、ことを特徴とする請求項２または３記載の照明ユニット。
【請求項５】
上記第２ハーフミラーが上記曲面に沿って延びるように形成されており、
上記透光性基板ならびに上記第１および第２ハーフミラーの両端部が上記ミラーに固定されている、ことを特徴とする請求項４記載の照明ユニット。
【請求項６】
上記透光性基板ならびに上記第１および第２ハーフミラーが所要曲面に沿って延びるように形成されており、
上記透光性基板ならびに上記第１および第２ハーフミラーの両端部が上記ミラーに固定されている、ことを特徴とする請求項１記載の照明ユニット。
【請求項７】
請求項１〜６いずれか記載の照明ユニットが、透光カバーとランプボディとで形成される灯室内に収容されてなる車両用灯具において、
上記透光性基板および上記第１ハーフミラーが、上記透光カバーに沿って延びるように配置されている、ことを特徴とする車両用灯具。
【発明の詳細な説明】
【技術分野】
【０００１】
本願発明は、透光性基板に光源が搭載されてなる照明ユニットおよび該照明ユニットを備えた車両用灯具に関するものである。
【背景技術】
【０００２】
従来より、車両用灯具の構成として、例えば「特許文献１」に記載されているように、透光性基板に光源が搭載されたものが知られている。
【０００３】
この「特許文献１」の（実施形態３）に記載された車両用灯具は、透光性基板が透光カバーとランプボディとで形成される灯室内に配置されており、そのランプボディの内面が反射面として構成されている。そしてこれにより、光源から出射して後方に向かう光をランプボディの反射面で前方へ向けて反射させ、さらにこの反射光の一部を透光性基板で後方へ向けて反射させてランプボディの反射面で再度前方へ向けて反射させるようになっている。
【先行技術文献】
【特許文献】
【０００４】
【特許文献１】特開２０１３−２１４４９２号公報
【発明の概要】
【発明が解決しようとする課題】
【０００５】
上記「特許文献１」に記載された車両用灯具においては、光源からの出射光を透光性基板とランプボディの反射面との間で多重反射させることにより、点灯時の灯具の見映えを向上させることが可能である。
【０００６】
しかしながら、このような多重反射を利用した車両用灯具において、その点灯時の見映えをさらに向上させることが望まれる。
【０００７】
このような課題は、車両用灯具に限らず一般の照明ユニットにおいても同様に生じ得る課題である。
【０００８】
本願発明は、このような事情に鑑みてなされたものであって、透光性基板に光源が搭載されてなる照明ユニットおよび車両用灯具において、点灯時の見映えを向上させることができる照明ユニットおよび車両用灯具を提供することを目的とするものである。
【課題を解決するための手段】
【０００９】
本願発明は、所定の位置関係で配置されたハーフミラーおよびミラーを備えた構成とすることにより、上記目的達成を図るようにしたものである。
【００１０】
すなわち、本願発明に係る照明ユニットは、
透光性基板に光源が搭載されてなる照明ユニットにおいて、
上記透光性基板の前方側に第１ハーフミラーが配置されるとともに、上記透光性基板の後方側にミラーが配置されており、
上記光源からの出射光を、上記第１ハーフミラーおよび上記ミラー間において上記透光性基板を透過させるようにして繰り返し反射させながら、上記第１ハーフミラーから前方へ向けて出射させるように構成されており、その上で、
本願第１の発明に係る照明ユニットは、
上記透光性基板と上記ミラーとの間に第２ハーフミラーが配置されている、ことを特徴とするものであり、
本願第２の発明に係る照明ユニットは、
上記透光性基板と上記第１ハーフミラーとの間に透明部材が配置されており、
上記透明部材が、該透明部材の第１面を上記透光性基板に接触させるとともに該透明部材の第２面を上記第１ハーフミラーに接触させるようにして配置されており、
上記透光性基板ならびに上記第１ハーフミラーおよび上記ミラーが、前方側に突出するとともに所定の方向に延びる曲面に沿って形成されている、ことを特徴とするものであり、
本願第３の発明に係る照明ユニットは、
上記透光性基板と上記ミラーとの間に透明部材が配置されており、
上記透明部材が、該透明部材の第１面を上記透光性基板に接触させるとともに該透明部材の第２面を上記ミラーに接触させるようにして配置されており、
上記透光性基板ならびに上記第１ハーフミラーおよび上記ミラーが、前方側に突出するとともに所定の方向に延びる曲面に沿って形成されている、ことを特徴とするものである。
【００１１】
上記「照明ユニット」は、透光性基板に光源が搭載された構成を有するものであれば、その用途は特に限定されるものではない。
【００１２】
上記「透光性基板」は、透光性を有する基板であれば、その具体的な構成は特に限定されるものではなく、例えば、透明な基板の表面また内部に透明または不透明な配線パターンが形成された構成等が採用可能である。
【００１３】
上記「光源」は、透光性基板に搭載されていれば、その種類は特に限定されるものではなく、例えば発光ダイオードや有機ＥＬ等が採用可能である。また、この「光源」の個数は、単数であってもよいし複数であってもよい。
【００１４】
上記「第１ハーフミラー」および上記「ミラー」は、光源からの出射光を両者間において透光性基板を透過させるようにして繰り返し反射させることが可能な位置関係で配置されていれば、これらと透光性基板との具体的な位置関係は特に限定されるものではない。
【発明の効果】
【００１５】
上記構成に示すように、本願発明に係る照明ユニットは、光源が搭載された透光性基板の前方側に第１ハーフミラーが配置されるとともに透光性基板の後方側にミラーが配置された構成となっており、光源からの出射光を第１ハーフミラーおよびミラー間において透光性基板を透過させるようにして繰り返し反射させながら第１ハーフミラーから前方へ向けて出射させる構成となっているので、次のような作用効果を得ることができる。
【００１６】
すなわち、点灯時の照明ユニットを外部から観察したとき、第１ハーフミラーとミラーとの間で多重反射した光により、光源の像が前後方向に数多く並んで光って見えるようにすることができる。
【００１７】
このように本願発明によれば、透光性基板に光源が搭載されてなる照明ユニットにおいて、点灯時の見映えを向上させることができる。
【００１８】
しかも、このような構成を採用することにより、非点灯時の照明ユニットを外部から観察したとき、第１ハーフミラーの存在により、透光性基板およびこれに搭載された光源が見えてしまわないようにすることができる。そしてこれにより、点灯時のみならず非点灯時の見映えも向上させることができる。
【００１９】
上記構成において、透光性基板と第１ハーフミラーおよび／またはミラーとの間に透明部材が配置された構成とした上で、この透明部材が、その第１面を透光性基板に接触させるとともにその第２面を第１ハーフミラーおよび／またはミラーに接触させるようにして配置された構成とすれば、透光性基板と第１ハーフミラーおよび／またはミラーとの間隔を一定に維持することが容易に可能となる。その際、透明部材の第２面に金属蒸着処理等を施すことによって第１ハーフミラーおよび／またはミラーを構成することも可能である。
【００２０】
上記構成において、透光性基板とミラーとの間に第２ハーフミラーが配置された構成とすれば、点灯時の照明ユニットを外部から観察したとき、第１ハーフミラーとミラーとの間で多重反射した光と第１ハーフミラーと第２ハーフミラーとの間で多重反射した光とにより、光源の像が前後方向にさらに多く並んで光って見えるようにすることができる。
【００２１】
この場合において、透光性基板ならびに第１および第２ハーフミラーが所要曲面に沿って延びるように形成された構成とし、その両端部がミラーに固定された構成とすれば、第１ハーフミラーと第２ハーフミラーとの間で多重反射した光によって光源の像が所要曲面と直交する方向に数多く並んで光って見えるようにした上で、これら多数の光源の像がミラーによって倍増して光って見えるようにすることができる。
【００２２】
本願発明に係る車両用灯具として、透光カバーとランプボディとで形成される灯室内に上記照明ユニットが収容された構成を採用することが可能である。その際、透光性基板および第１ハーフミラーが透光カバーに沿って延びるように配置された構成とすれば、非点灯時の車両用灯具を外部から観察したとき、透光性基板の前方側に配置された第１ハーフミラーの存在により、灯室内が外部から見えてしまわないようにすることができる。その際、透光カバーの内面に金属蒸着処理等を施すことによって第１ハーフミラーを構成することも可能である。
【００２３】
上記「車両用灯具」の種類は特に限定されるものではなく、例えば、テールランプ、ストップランプ、ターンシグナルランプ、クリアランスランプ等の標識灯であってもよいし、これらの標識灯とは別に周囲の車両等に注意喚起を促す機能に特化した灯具や装飾を目的とした灯具等であってもよい。
【００２４】
上記構成に代えて、透光性基板に光源が搭載されてなる照明ユニットの構成として、透光性基板の後方側にハーフミラーが配置されるとともに、このハーフミラーの後方側にミラーが配置された構成とした場合においても、点灯時の照明ユニットを外部から観察したとき、ハーフミラーで反射した光およびハーフミラーとミラーとの間で多重反射した光により、光源の像が前後方向に数多く並んで光って見えるようにすることができる。したがって、このような構成を採用した場合においても点灯時の見映えを向上させることができる。
【００２５】
しかも、光源が搭載された透光性基板の構成によっては、非点灯時の照明ユニットを外部から観察したとき光源が目立たないようにすることが可能である。そして、このような構成を採用することにより、点灯時のみならず非点灯時の見映えも向上させることができる。
【００２６】
このような構成を採用した場合において、透光性基板とハーフミラーとの間に第１透明部材が配置されるとともにハーフミラーとミラーとの間に第２透明部材が配置された構成とすれば、透光性基板とハーフミラーとの間隔およびハーフミラーとミラーとの間隔をそれぞれ一定に維持することが容易に可能となる。
【００２７】
また、このような構成を採用した場合において、透光性基板、ハーフミラーおよびミラーが、前方側に突出する曲面に沿って延びるように形成された構成とすれば、光源の像が放射状に数多く並んで光って見えるようにすることができる。
【図面の簡単な説明】
【００２８】
【図１】本願発明の第１実施形態に係る照明ユニットを示す斜視図
【図２】上記照明ユニットを図１のII−II線断面の位置で示す側断面図
【図３】図２のIII部詳細図
【図４】上記第１実施形態の作用を示す、図１と同様の図
【図５】上記第１実施形態の第１変形例を示す、図２と同様の図
【図６】上記第１実施形態の第２変形例を示す、図２と同様の図
【図７】上記第１実施形態の第３変形例を示す、図３と同様の図
【図８】本願発明の第２実施形態に係る照明ユニットを示す斜視図
【図９】上記第２実施形態の作用を示す、図８と同様の図
【図１０】本願発明の第３実施形態に係る照明ユニットを備えた車両用灯具を示す側断面図
【図１１】上記第３実施形態の第１変形例を示す、図１０と同様の図
【図１２】上記第３実施形態の第２変形例を示す、図１０と同様の図
【図１３】本願発明の第４実施形態に係る照明ユニットを備えた車両用灯具を示す側断面図
【図１４】（ａ）は上記第４実施形態に係る照明ユニットを示す正面図、（ｂ）は上記第４実施形態の作用を示す正面図
【図１５】本願発明の第５実施形態に係る照明ユニットを示す斜視図
【図１６】図１５のXVI−XVI線断面詳細図
【図１７】上記第５実施形態の作用を示す、図１５と同様の図
【発明を実施するための形態】
【００２９】
以下、図面を用いて、本願発明の実施の形態について説明する。
【００３０】
図１は、本願発明の第１実施形態に係る照明ユニット１０を示す斜視図である。また、図２は、この照明ユニット１０を図１のII−II線断面の位置で示す側断面図である。
【００３１】
これらの図に示すように、本実施形態に係る照明ユニット１０は、鉛直面に沿って延びるように配置された透光性基板２０と、この透光性基板２０に縦横格子状の配置で搭載された複数の光源１２と、透光性基板２０の前方側に配置された第１ハーフミラー３２と、透光性基板２０の後方側に配置されたミラー３４とを備えた構成となっている。
【００３２】
図３は、図２のIII部詳細図である。
【００３３】
同図に示すように、この照明ユニット１０においては、各光源１２からの出射光を、第１ハーフミラー３２およびミラー３４間において透光性基板２０を透過させるようにして繰り返し反射させながら、第１ハーフミラー３２から前方へ向けて出射させるように構成されている。
【００３４】
次に、この照明ユニット１０の具体的な構成について説明する。
【００３５】
透光性基板２０は、透明樹脂製（例えばＰＥＴ製）の第１および第２透明フィルム２２、２４の間に配線パターン２６が配置された構成となっている。その際、配線パターン２６は、後側に位置する第２透明フィルム２４の前面に形成されている。この配線パターン２６は、メッシュ状に形成された不透明の導電膜の一部を切断することにより構成されている。第１および第２透明フィルム２２、２４は、透明の接着剤２８を介して互いに貼付されている。
【００３６】
この透光性基板２０の上端中央部には、上方へ突出するタブ２０ａが形成されている。このタブ２０ａの位置においては配線パターン２６が露出しており、この配線パターン２６には端子部２０ｂが搭載されている。
【００３７】
各光源１２は、赤色発光ダイオードであって、前後両面に発光面を有する発光チップで構成されている。これら各光源１２は、第１および第２透明フィルム２２、２４の間に配置された状態で配線パターン２６に導通固定されている。
【００３８】
第１ハーフミラー３２およびミラー３４は、透光性基板２０に対してそれぞれ等間隔をおいた状態で、鉛直面に沿って延びるように配置されている。その際、第１ハーフミラー３２は、透明樹脂製（例えばＰＥＴ製）のフィルム状に形成されており、その後面が金属蒸着処理等によりハーフミラー面３２ａとして構成されている。一方、ミラー３４も、透明樹脂製（例えばＰＥＴ製）のフィルム状に形成されており、その前面が金属蒸着処理等によりミラー面３４ａとして構成されている。
【００３９】
透光性基板２０と第１ハーフミラー３２との間には透明部材４２が配置されている。この透明部材４２は、透明樹脂製（例えばＰＥＴ製）の板状部材であって一定の板厚を有している。そして、この透明部材４２は、その後面を透光性基板２０に接触させるとともにその前面を第１ハーフミラー３２に接触させるようにして配置されており、これらに貼付されている。
【００４０】
また、透光性基板２０とミラー３４との間には透明部材４４が配置されている。この透明部材４４は、透明樹脂製（例えばＰＥＴ製）の板状部材であって一定の板厚を有している。そして、この透明部材４４は、その前面を透光性基板２０に接触させるとともにその後面をミラー３４に接触させるようにして配置されており、これらに貼付されている。
【００４１】
透光性基板２０、第１ハーフミラー３２、ミラー３４および透明部材４２、４４の外周縁部には、これらを囲むフレーム５０が配置されている。このフレーム５０は、第１フレーム部５２と第２フレーム部５４とからなっている。その際、第２フレーム部５４は、透光性基板２０等を後方側から支持しており、その上部において透光性基板２０のタブ２０ａを挿通させている。一方、第１フレーム部５２は、これら透光性基板２０等を前方側から支持した状態で第２フレーム部５４に固定されている。
【００４２】
図４は、照明ユニット１０を、各光源１２を点灯させた状態で示す斜視図である。
【００４３】
同図に示すように、点灯時の照明ユニット１０を外部から観察したときには、第１ハーフミラー３２とミラー３４との間で多重反射した光により、複数箇所において各光源１２の像Ｉが前後方向に数多く並んで光って見える。
【００４４】
一方、図１に示すように、非点灯時の照明ユニット１０を外部から観察したときには、外部光が第１ハーフミラー３２で反射するので、透光性基板２０および各光源１２はほとんど見えない。
【００４５】
次に本実施形態の作用について説明する。
【００４６】
以上詳述したように、本実施形態に係る照明ユニット１０は、複数の光源１２が搭載された透光性基板２０の前方側に第１ハーフミラー３２が配置されるとともに透光性基板２０の後方側にミラー３４が配置された構成となっており、各光源１２からの出射光を第１ハーフミラー３２およびミラー３４間において透光性基板２０を透過させるようにして繰り返し反射させながら第１ハーフミラー３２から前方へ向けて出射させる構成となっているので、次のような作用効果を得ることができる。
【００４７】
すなわち、点灯時の照明ユニット１０を外部から観察したとき、第１ハーフミラー３２とミラー３４との間で多重反射した光により、各光源１２の像Ｉが前後方向に数多く並んで光って見えるようにすることができる。一方、非点灯時の照明ユニット１０を外部から観察したとき、第１ハーフミラー３２の存在により、透光性基板２０およびこれに搭載された複数の光源１２が見えてしまわないようにすることができる。
【００４８】
このように本実施形態によれば、透光性基板２０に複数の光源１２が搭載されてなる照明ユニット１０において、点灯時のみならず非点灯時の見映えも向上させることができる。
【００４９】
その際、本実施形態においては、透光性基板２０と第１ハーフミラー３２との間に、透明部材４２が、その第１面である後面を透光性基板２０に接触させるとともにその第２面である前面を第１ハーフミラー３２に接触させるようにして配置されているので、透光性基板２０と第１ハーフミラー３２との間隔を一定に維持することが容易に可能となる。また、透光性基板２０とミラー３４との間には、透明部材４４が、その第１面である前面を透光性基板２０に接触させるとともにその第２面である後面をミラー３４に接触させるようにして配置されているので、透光性基板２０とミラー３４との間隔を一定に維持することが容易に可能となる。そしてこれにより、各光源１２の像Ｉが前後方向に正確に一定の間隔をおいて光って見えるようにすることができる。
【００５０】
上記第１実施形態においては、複数の光源１２が縦横格子状に配置されているものとして説明したが、これ以外の配置を採用することももちろん可能である。
【００５１】
また、上記第１実施形態においては、透光性基板２０の配線パターン２６が、メッシュ状に形成された不透明の導電膜の一部を切断することにより構成されているものとして説明したが、これ以外の構成（例えばＩＴＯ（Indium Tin Oxide）透明導電膜で構成されたもの等）を採用することも可能である。
【００５２】
さらに、上記第１実施形態においては、各光源１２が前後両面に発光面を有する発光チップで構成されているものとして説明したが、前面または後面にのみ発光面を有する発光チップで構成されたものとすることも可能である。
【００５３】
次に、上記第１実施形態の変形例について説明する。
【００５４】
まず、上記第１実施形態の第１変形例について説明する。
【００５５】
図５は、本変形例に係る照明ユニット１１０を示す、図２と同様の図である。
【００５６】
同図に示すように、本変形例の基本的な構成は上記第１実施形態の場合と同様であるが、本変形例においては、第１ハーフミラー１３２が透明部材４２の前面に金属蒸着処理等を施すことによって構成されており、また、ミラー１３４が透明部材４４の後面に金属蒸着処理等を施すことによって構成されている。なお、これに伴って、フレーム１５０の形状が上記第１実施形態の場合と一部異なっている。
【００５７】
本変形例の構成を採用することにより、照明ユニット１１０の構成簡素化および薄型化を図ることができる。
【００５８】
次に、上記第１実施形態の第２変形例について説明する。
【００５９】
図６は、本変形例に係る照明ユニット２１０を示す、図２と同様の図である。
【００６０】
同図に示すように、本変形例の基本的な構成は上記第１変形例の場合と同様であるが、本変形例においては、透光性基板２０とミラー２３４との間に第２ハーフミラー２３６が配置された構成となっている。
【００６１】
すなわち、本変形例においては、ミラー２３４が透明部材４４から後方に離れた位置に配置されており、その前面が金属蒸着処理等によりミラー面２３４ａとして構成されている。また、第２ハーフミラー２３６は、透明部材４４の後面に金属蒸着処理等を施すことによって構成されている。そして、透明部材４４とミラー２３４との間には環状のスペーサ２６０が配置されている。なお、これに伴って、フレーム２５０の形状が上記第１変形例の場合と一部異なっている。
【００６２】
本変形例の構成を採用することにより、点灯時の照明ユニット２１０を外部から観察したとき、第１ハーフミラー２３２とミラー２３４との間で多重反射した光と第１ハーフミラー２３２と第２ハーフミラー２３６との間で多重反射した光とにより、光源１２の像Ｉが前後方向にさらに多く並んで光って見えるようにすることができる。
【００６３】
次に、上記第１実施形態の第３変形例について説明する。
【００６４】
図７は、本変形例に係る照明ユニット３１０の要部を示す、図３と同様の図である。
【００６５】
同図に示すように、本変形例の基本的な構成は上記第１実施形態の場合と同様であるが、透光性基板３２０および複数の光源３１２の構成が上記第１実施形態の場合と異なっている。また、本変形例においては、第１ハーフミラー３３２が透明部材３４２の後面に金属蒸着処理等を施すことによって構成されており、また、ミラー３３４が透明部材３４４の後面に金属蒸着処理等を施すことによって構成されている。
【００６６】
透光性基板３２０は、透明樹脂製（例えばＰＥＴ製）の基板本体３２２の前面に配線パターン３２４が形成されるとともに、この配線パターン３２４の複数箇所にランド部３２６が形成された構成となっている。
【００６７】
複数の光源３１２は、縦横格子状の配置で透光性基板３２０の前面に搭載されている。そして、これら各光源３１２は、各箇所のランド部３２６に導通固定されている。
【００６８】
これら各光源３１２は、赤色発光ダイオードであって、発光チップを収容するセラミックケースに蛍光体が充填された構成となっており、その蛍光体の表面が発光面３１２ａを構成している。
【００６９】
透明部材３４２は、透明樹脂製（例えばＰＥＴ製）の板状部材であって一定の板厚を有している。そして、この透明部材３４２は、透光性基板３２０と一定の間隔をおいて配置されている。
【００７０】
また、透明部材３４４も、透明樹脂製（例えばＰＥＴ製）の板状部材であって一定の板厚を有している。そして、この透明部材３４４の前面に透光性基板３２０の基板本体３２２が貼付されている。
【００７１】
各光源３１２からの出射光は、その発光面３１２ａから前方へ向かう光となり、その一部は透明部材３４２を透過して前方へ向けて出射するが、その残りは、透明部材３４２の後面に形成された第１ハーフミラー３３２で反射する。そしてこの反射光は、透光性基板３２０の基板本体３２２および透明部材３４４を透過してその後面に形成されたミラー３３４で反射し、基板本体３２２から前方へ出射して再び透明部材３４２に到達する。
【００７２】
すなわち、本変形例においては、点灯時の照明ユニット３１０を外部から観察したとき、第１ハーフミラー３３２とミラー３３４との間で多重反射した光により、各光源３１２の像Ｉが前後方向に数多く並んで光って見えるようにすることができる。一方、非点灯時の照明ユニット３１０を外部から観察したとき、第１ハーフミラー３３２の存在により、透光性基板３２０およびこれに搭載された複数の光源３１２が見えてしまわないようにすることができる。
【００７３】
次に、本願発明の第２実施形態について説明する。
【００７４】
図８は、本実施形態に係る照明ユニット４１０を示す斜視図である。
【００７５】
同図に示すように、本実施形態に係る照明ユニット４１０は、透光性基板４２０が半円筒状に延びるように形成されており、その外周面側に透明部材４４２が配置されるとともにその内周面側に透明部材４４４が配置された構成となっている。
【００７６】
透光性基板４２０およびこれに搭載された複数の光源４１２の構成については、上記第１実施形態の場合と同様である。
【００７７】
透明部材４４２、４４４は、いずれも透明樹脂製（例えばＰＥＴ製）の板状部材であって一定の板厚で半円筒状に形成されている。そして、透明部材４４２は、その内周面において透光性基板４２０に貼付されており、透明部材４４４は、その外周面において透光性基板４２０に貼付されている。
【００７８】
透明部材４４２の外周面には金属蒸着処理等を施されており、これにより第１ハーフミラー４３２が構成されている。また、透明部材４４４の内周面には金属蒸着処理等を施されており、これにより第２ハーフミラー４３６が構成されている。
【００７９】
これら透光性基板４２０および透明部材４４２、４４４は、その半円筒状に延びている方向の両端部においてミラー４３４に固定されている。
【００８０】
このミラー４３４は、平板状に形成されており、その透光性基板４２０側の表面がミラー面４３４ａとして構成されている。このミラー４３４の両側端部には、フランジ部４３４ｂが形成されており、これら１対のフランジ部４３４ｂにおいて透光性基板４２０および透明部材４４２、４４４を位置決めするようになっている。なお、透光性基板４２０のタブ４２０ａが、ミラー４３４に形成された挿通孔（図示せず）に挿通されている。
【００８１】
図９は、照明ユニット４１０を、各光源４１２を点灯させた状態で示す斜視図である。
【００８２】
同図に示すように、点灯時の照明ユニット４１０を外部から観察したときには、第１ハーフミラー４３２と第２ハーフミラー４３６との間で多重反射した光により、複数箇所において各光源４１２の像Ｉが放射状に数多く並んで光って見え、また、これらの像Ｉがミラー面４３４ａに映り込んで見える。
【００８３】
一方、図８に示すように、非点灯時の照明ユニット４１０を外部から観察したときには、外部光が第１ハーフミラー４３２で反射するので、透光性基板４２０および各光源４１２はほとんど見えない。
【００８４】
本変形例の構成を採用することにより、第１ハーフミラー４３２と第２ハーフミラー４３６との間で多重反射した光によって光源４１２の像Ｉが円筒面と直交する方向に数多く並んで光って見えるようにした上で、これら多数の光源４１２の像Ｉがミラー４３４によって倍増して光って見えるようにすることができる。
【００８５】
上記第２実施形態においては、透光性基板４２０が半円筒状に延びるように形成されているものとして説明したが、これ以外の曲面形状に沿って延びるように形成されたものとすることも可能である。
【００８６】
また、上記第２実施形態においては、ミラー４３４のミラー面４３４ａが平面状に形成されているものとして説明したが、曲面状に形成されたものとすることも可能である。
【００８７】
次に、本願発明の第３実施形態について説明する。
【００８８】
図１０は、本実施形態に係る車両用灯具５００を示す側断面図である。
【００８９】
同図に示すように、この車両用灯具５００は、例えばテールランプ等の灯具であって、透光カバー５０２とランプボディ５０４とで形成される灯室内に照明ユニット５１０が収容された構成となっている。
【００９０】
透光カバー５０２は、円弧状の曲線に沿って延びる鉛直断面形状を有している。
【００９１】
照明ユニット５１０は、その透光性基板５２０が透光カバー５０２に沿って円弧状に延びる鉛直断面形状を有している。そして、この透光性基板５２０の外周面側には透明部材５４２が配置されており、その内周面側には透明部材５４４が配置されている。
【００９２】
透光性基板５２０およびこれに搭載された複数の光源５１２の構成については、上記第１実施形態の場合と同様である。
【００９３】
透明部材５４２、５４４は、いずれも透明樹脂製（例えばＰＥＴ製）の板状部材であって一定の板厚で断面円弧状に形成されている。そして、透明部材５４２は、その内周面において透光性基板５２０に貼付されており、透明部材５４４は、その外周面において透光性基板５２０に貼付されている。
【００９４】
透明部材５４２の外周面には金属蒸着処理等を施されており、これにより第１ハーフミラー５３２が構成されている。また、透明部材５４４の内周面には金属蒸着処理等を施されており、これによりミラー５３４が構成されている。
【００９５】
透光性基板５２０および透明部材５４２、５４４は、その円弧状に延びている方向の両端部においてランプボディ５０４に固定されている。なお、ランプボディ５０４は、ランプボディ本体５０４Ａと、透光性基板５２０のタブ５２０ａを覆うようにしてランプボディ本体５０４Ａに取り付けられたカバー５０４Ｂとで構成されている。
【００９６】
本実施形態の構成を採用することにより、点灯時の照明ユニット５１０を、透光カバー５０２を透して外部から観察したとき、第１ハーフミラー５３２とミラー５３４との間で多重反射した光によって光源５１２の像Ｉが放射状に数多く並んで光って見えるようにすることができる。
【００９７】
一方、非点灯時の照明ユニット５１０を、透光カバー５０２を透して外部から観察したときには、外部光が第１ハーフミラー５３２で反射するので、透光性基板５２０および各光源５１２はほとんど見えないようにすることができる。
【００９８】
次に、上記第３実施形態の変形例について説明する。
【００９９】
まず、上記第３実施形態の第１変形例について説明する。
【０１００】
図１１は、本変形例に係る車両用灯具６００を示す、図１０と同様の図である。
【０１０１】
同図に示すように、本変形例の基本的な構成は上記第３実施形態の場合と同様であるが、上記第３実施形態の透明部材５４２に相当する部材が配置されておらず、また、透光カバー６０２の内面に金属蒸着処理等を施すことにより第１ハーフミラー６３２が構成されている。なお、これに伴って、ランプボディ６０４の構成が、上記第３実施形態の場合と一部異なっている。
【０１０２】
本変形例の構成を採用することにより、点灯時の照明ユニット６１０を、透光カバー６０２を透して外部から観察したとき、第１ハーフミラー６３２とミラー５３４との間で多重反射した光によって光源５１２の像Ｉが放射状に数多く並んで光って見えるようにすることができる。
【０１０３】
一方、非点灯時の照明ユニット６１０を、透光カバー６０２を透して外部から観察したときには、外部光が第１ハーフミラー６３２で反射するので、透光性基板５２０および各光源５１２はほとんど見えないようにすることができる。
【０１０４】
また、本変形例の構成を採用することにより、車両用灯具６００の構成簡素化および薄型化を図ることができる。
【０１０５】
次に、上記第３実施形態の第２変形例について説明する。
【０１０６】
図１２は、本変形例に係る車両用灯具７００を示す、図１０と同様の図である。
【０１０７】
同図に示すように、本変形例の基本的な構成は上記第３実施形態の場合と同様であるが、上記第３実施形態の透明部材５４４に相当する部材が配置されておらず、また、上記第３実施形態のミラー５３４としての機能をランプボディ７０４が果たすようになっている。
【０１０８】
すなわち、本変形例のランプボディ７０４は、そのランプボディ本体７０４Ａが鉛直面内において透光性基板５２０に沿って該透光性基板５２０と一定間隔で円弧状に延びるように形成されており、その内面に金属蒸着処理等を施すことによりミラー７３４が構成されている。
【０１０９】
本変形例の構成を採用することにより、点灯時の照明ユニット７１０を、透光カバー５０２を透して外部から観察したとき、第１ハーフミラー５３２とミラー７３４との間で多重反射した光によって光源５１２の像Ｉが放射状に数多く並んで光って見えるようにすることができる。
【０１１０】
一方、非点灯時の照明ユニット７１０を、透光カバー５０２を透して外部から観察したときには、外部光が第１ハーフミラー５３２で反射するので、透光性基板５２０および各光源５１２はほとんど見えないようにすることができる。
【０１１１】
また、本変形例の構成を採用することにより、車両用灯具７００の構成簡素化および薄型化を図ることができる。
【０１１２】
次に、本願発明の第４実施形態について説明する。
【０１１３】
図１３は、本実施形態に係る車両用灯具８００を示す側断面図である。
【０１１４】
同図に示すように、車両用灯具８００は、例えばテールランプ等の灯具であって、透光カバー８０２とランプボディ８０４とで形成される灯室内に照明ユニット８１０が収容された構成となっている。
【０１１５】
照明ユニット８１０は、鉛直面に沿って延びるように配置された透光性基板８２０と、この透光性基板８２０に搭載された複数の光源８１２Ａ、８１２Ｂと、透光性基板８２０の前方側に配置された透明部材８４０と、この透光性基板８２０に近接して配置された上下１対の透明部材８４２とを備えた構成となっている。この照明ユニット８１０は、上下対称の形状を有している。
【０１１６】
透光性基板８２０の構成は、上記第１実施形態の透光性基板２０と同様、第１および第２透明フィルム８２２、８２４の間に配線パターンが配置された構成となっている。
【０１１７】
図１４（ａ）は、照明ユニット８１０を示す正面図である。
【０１１８】
同図（ａ）に示すように、透光性基板８２０の上下方向中央部には、複数の光源８１２Ａが左右方向に比較的短い間隔をおいて配置されており、この上下方向中央部から上下両側に離れた位置には、複数の光源８１２Ｂが左右方向に複数の光源８１２Ａよりも長い間隔をおいて配置されている。
【０１１９】
各光源８１２Ａ、８１２Ｂは、赤色発光ダイオードであって、前後両面に発光面を有する発光チップで構成されている。これら各光源８１２Ａ、８１２Ｂは、第１および第２透明フィルム８２２、８２４の間に配置された状態で上記配線パターンに導通固定されている。
【０１２０】
透光性基板８２０の側端部には、側方へ突出するタブ８２０ａが形成されており、このタブ８２０ａには上記配線パターンの端子部８２０ｂが搭載されている。
【０１２１】
図１３に示すように、透明部材８４０は、透光性基板８２０の前面に沿って鉛直方向に延びる鉛直板状部８４０Ａと、この鉛直板状部８４０Ａの上下方向中央部から前方へ向けて延びる水平板状部８４０Ｂとで構成されている。
【０１２２】
鉛直板状部８４０Ａは、その後面において透光性基板８２０に貼付されている。
【０１２３】
水平板状部８４０Ｂは、前方へ向けてその上下幅が徐々に狭くなるように形成されており、その前端面８４０Ｂａは左右方向に細長く帯状に延びるように形成されている。この前端面８４０Ｂａにはシボ加工等による光拡散処理が施されている。
【０１２４】
各透明部材８４２は、透明部材８４０の鉛直板状部８４０Ａおよび水平板状部８４０Ｂに沿って左右方向に延びる三角柱状の部材であって、その下面および後面において透明部材８４０と接触している。各透明部材８４２の前面は、水平板状部８４０Ｂの前端面８４０Ｂａの位置から鉛直板状部８４０Ａの上端部および下端部の位置へ向けて斜め上後方および斜め下後方へ延びるように形成されている。
【０１２５】
これら各透明部材８４２の前面には金属蒸着処理等が施されており、これにより第１ハーフミラー８３２が構成されている。
【０１２６】
透光カバー８０２は、透明部材８４０の水平板状部８４０Ｂの前方に位置する部分が左右方向に細長く帯状に延びるように形成されており、その上下両側の部分が後方へ向けて斜め上方および斜め下方へ延びるように形成されている。そして、この透光カバー８０２は、その上下両端部において透明部材８４０の鉛直板状部８４０Ａを位置決めした状態で透光性基板８２０に当接している。
【０１２７】
ランプボディ８０４は、その上下方向中央部が透光性基板８２０から後方にある程度離れており、この上下方向中央部から上下両端部へ向けて斜め上前方および斜め下前方へ延びるように形成されている。そして、このランプボディ８０４は、その上下両端部において透光性基板８２０を透光カバー８０２とで挟み込んだ状態で透光カバー８０２を支持している。
【０１２８】
このランプボディ８０４の内面において透光性基板８２０から離れた位置にある上下１対の傾斜面の部分には、金属蒸着処理等を施されており、これによりミラー８３４が構成されている。
【０１２９】
図１３に示すように、各光源８１２Ａから前方へ向けて出射した光は、その大半が透明部材８４０の水平板状部８４０Ｂの上下両面で全反射による内面反射を繰り返しながら前端面８４０Ｂａまで導光され、この前端面８４０Ｂａから前方へ向けて拡散光として出射する。
【０１３０】
一方、各光源８１２Ａから後方へ向けて出射した光は、ミラー８３４で反射した後、透光性基板８２０および透明部材８４０、８４２を介して前方へ向けて出射し、その際、一部の光は第１ハーフミラー８３２において内面反射する。
【０１３１】
また、各光源８１２Ｂから前方へ向けて出射した光は、透光性基板８２０および透明部材８４０、８４２を介して前方へ向けて出射し、その際、一部の光は第１ハーフミラー８３２において内面反射する。
【０１３２】
さらに、各光源８１２Ｂから後方へ向けて出射した光は、ミラー８３４で反射した後、透光性基板８２０および透明部材８４０、８４２を介して前方へ向けて出射し、その際、一部の光は第１ハーフミラー８３２において内面反射する。
【０１３３】
図１４（ｂ）は、照明ユニット８１０を、各光源８１２Ａ、８１２Ｂを点灯させた状態で示す正面図である。
【０１３４】
同図（ｂ）に示すように、点灯時の照明ユニット８１０を外部から観察したときには、透明部材８４０の水平板状部８４０Ｂの前端面８４０Ｂａが明るく均一に光って見え、また、上下１対の透明部材８４２の複数箇所が左右方向に間隔をおいてスポット状に光って見えるとともに各透明部材８４２の全領域が薄明るく光って見える。
【０１３５】
その際、水平板状部８４０Ｂの前端面８４０Ｂａが明るく均一に光って見えるのは、数多くの光源８１２Ａが左右方向に配置されており、かつ、これら各光源８１２Ａから前方へ向けて出射した光の大半が水平板状部８４０Ｂを導光され、光拡散面として構成された前端面８４０Ｂａから前方へ向けて出射することによるものである。
【０１３６】
また、上下１対の透明部材８４２の複数箇所が左右方向に間隔をおいてスポット状に光って見えるのは、各光源８１２Ｂから前方へ向けて出射した光が、各透明部材８４２の前面から前方へ向けて出射することによるものである。その際、各透明部材８４２の前面は第１ハーフミラー８３２として構成されており、その内面反射分だけ出射光量が減少するので、各箇所の明るさは水平板状部８４０Ｂの前端面８４０Ｂａの明るさより暗いものとなる。
【０１３７】
さらに、上下１対の透明部材８４２の全領域が薄明るく光って見えるのは、各光源８１２Ａ、８１２Ｂから後方へ向けて出射した光が、ミラー８３４で反射した後、透光性基板８２０および透明部材８４０、８４２を介して前方へ向けて出射するとともに、各光源８１２Ａ、８１２Ｂから前方あるいは後方へ向けて出射した光が、各第１ハーフミラー８３２において内面反射した後、さらにミラー８３４等の別の箇所で反射を繰り返した後、各透明部材８４２の前面から前方へ向けて出射することによるものである。
【０１３８】
本実施形態の構成を採用した場合においても、点灯時の照明ユニット８１０を、透光カバー８０２を透して外部から観察したとき、第１ハーフミラー８３２とミラー８３４との間で多重反射した光を含む光によって上下１対の透明部材８４２の全領域が薄明るく光って見えるようにすることができる。その上で、透明部材８４０の水平板状部８４０Ｂの前端面８４０Ｂａが明るく均一に光って見え、また、上下１対の透明部材８４２の複数箇所が左右方向に間隔をおいてスポット状に光って見えるようにすることができる。
【０１３９】
一方、非点灯時の照明ユニット８１０を、透光カバー８０２を透して外部から観察したときには、外部光が各第１ハーフミラー８３２で反射するので、透光性基板８２０および各光源８１２Ｂがほとんど見えないようにすることができる。また、水平板状部８４０Ｂの前端面８４０Ｂａが光拡散面として構成されていることにより、各光源８１２Ａもほとんど見えないようにすることができる。
【０１４０】
次に、本願発明の第５実施形態について説明する。
【０１４１】
図１５は、本願発明の第５実施形態に係る照明ユニット９１０を示す斜視図である。
【０１４２】
同図に示すように、本実施形態に係る照明ユニット９１０は、上記実施形態に係る照明ユニット４１０と同様、透光性基板９２０が半円筒状に延びるように形成されており、その内周面側に透明部材９４４が配置されているが、その外周面側には透明部材が配置されておらず、透明部材９４４の内周面側にさらに透明部材９４６が配置された構成となっている。
【０１４３】
図１６は、図１５のXVI−XVI線断面詳細図である。
【０１４４】
同図に示すように、透光性基板９２０は、透明樹脂製の第１および第２透明フィルム９２２、９２４の間に配線パターン９２６が配置された構成となっている。その際、配線パターン９２６は、後側に位置する第２透明フィルム９２４の外周面に形成されている。この配線パターン９２６は、メッシュ状に形成された透明の導電膜の一部を切断することにより構成されている。第１および第２透明フィルム９２２、９２４は、透明の接着剤９２８を介して互いに貼付されている。
【０１４５】
各光源９１２は、赤色発光ダイオードであって、前後両面に発光面を有する微小な発光チップで構成されている。これら各光源９１２は、第１および第２透明フィルム９２２、９２４の間に配置された状態で配線パターン９２６に導通固定されている。
【０１４６】
透明部材９４４、９４６は、いずれも透明樹脂製（例えばＰＥＴ製）の板状部材であって一定の板厚で半円筒状に形成されている。そして、透明部材９４４は、その外周面において透光性基板９２０に貼付されており、透明部材９４６は、その外周面において透明部材９４４に貼付されている。
【０１４７】
透明部材９４４の内周面には金属蒸着処理等を施されており、これによりハーフミラー９３６が構成されている。また、透明部材９４６の内周面には金属蒸着処理等を施されており、これによりミラー９３４が構成されている。
【０１４８】
図１５に示すように、透光性基板９２０および透明部材９４４、９４６は、その半円筒状に延びている方向の両端部においてホルダー９６０に固定されている。
【０１４９】
このホルダー９６０は、平板状に形成されており、その両側端部には、フランジ部９６０ｂが形成されており、これら１対のフランジ部９６０ｂにおいて透光性基板９２０および透明部材９４４、９４６を位置決めするようになっている。なお、透光性基板９２０のタブ９２０ａが、ホルダー９６０に形成された挿通孔（図示せず）に挿通されている。
【０１５０】
図１６に示すように、各光源９１２から外周側へ向けて出射した光は、そのまま外周側空間へ向けて出射する。
【０１５１】
一方、各光源９１２から内周側へ向けて出射した光は、透明部材９４４の内周面を構成するハーフミラー９３６に到達すると、その一部はハーフミラー９３６で反射して透光性基板９２０を介して外周側空間へ向けて出射し、その残りはそのまま透明部材９４６の内周面を構成するミラー９３４に到達する。そして、このミラー９３４で反射した光は、その一部がハーフミラー９３６で反射し、その残りは透光性基板９２０を介して外周側空間へ向けて出射する。
【０１５２】
図１７は、照明ユニット９１０を、各光源９１２を点灯させた状態で示す斜視図である。
【０１５３】
同図に示すように、点灯時の照明ユニット９１０を外部から観察したときには、各光源９１２から外周側へ向けて直接出射した光により、複数箇所において各光源９１２の像Ｉａが明るく光って見え、また、ハーフミラー９３６とミラー９３４との間で多重反射した光により、複数箇所において各光源９１２の像Ｉｂが像Ｉａと直列の位置関係で放射状に数多く並んで光って見える。
【０１５４】
一方、図１５に示すように、非点灯時の照明ユニット９１０を外部から観察したときには、透光性基板９２０が直接見えるが、配線パターン９２６はメッシュ状に形成された透明の導電膜の一部を切断することにより構成されており、かつ各光源９１２は微小な発光チップで構成されているので、その存在を目立たないものとすることができる。
【０１５５】
本実施形態の構成を採用した場合には、点灯時の照明ユニット９１０を外部から観察したとき、各光源９１２から外周側へ向けて直接出射した光により像Ｉａが明るく光って見えるとともに、ハーフミラー９３６とミラー９３４との間で多重反射した光により各光源９１２の像Ｉｂが像Ｉａと直列の位置関係で放射状に数多く並んで光って見えるようにすることができ、これにより点灯時の見映えをより一層向上させることができる。
【０１５６】
しかも本実施形態においては、非点灯時の照明ユニット９１０を外部から観察したとき、透光性基板９２０の配線パターン９２６および各光源９１２の存在を目立たないものとすることができ、これにより点灯時のみならず非点灯時の見映えも向上させることができる。
【０１５７】
また本実施形態においては、透光性基板９２０とハーフミラー９３６との間に第１透明部材としての透明部材９４４が配置されるとともにハーフミラー９３６とミラー９３４との間に第２透明部材としての透明部材９４６が配置されているので、透光性基板９２０とハーフミラー９３６との間隔およびハーフミラー９３６とミラー９３４との間隔をそれぞれ一定に維持することが容易に可能となる。
【０１５８】
さらに本実施形態においては、透光性基板９２０、ハーフミラー９３６およびミラー９３４が、前方側に突出する曲面に沿って延びるように形成されているので、各光源９１２の像Ｉａ、Ｉｂが放射状に数多く並んで光って見えるようにすることができる。
【０１５９】
なお、上記実施形態およびその変形例において諸元として示した数値は一例にすぎず、これらを適宜異なる値に設定してもよいことはもちろんである。
【０１６０】
また、本願発明は、上記実施形態およびその変形例に記載された構成に限定されるものではなく、これ以外の種々の変更を加えた構成が採用可能である。
【符号の説明】
【０１６１】
１０、１１０、２１０、３１０、４１０、５１０、６１０、８１０、９１０  照明ユニット
１２、３１２、４１２、５１２、８１２Ａ、８１２Ｂ、９１２  光源
２０、３２０、４２０、５２０、８２０、９２０  透光性基板
２０ａ、４２０ａ、５２０ａ、８２０ａ、９２０ａ  タブ
２０ｂ、８２０ｂ  端子部
２２、８２２、９２２  第１透明フィルム
２４、８２４、９２４  第２透明フィルム
２６、３２４、９２６  配線パターン
２８、９２８  接着剤
３２、１３２、２３２、３３２、４３２、５３２、６３２、８３２  第１ハーフミラー
３２ａ  ハーフミラー面
３４、１３４、２３４、３３４、４３４、５３４、７３４、８３４、９３４  ミラー
３４ａ、２３４ａ、４３４ａ  ミラー面
４２、４４、３４２、３４４、４４２、４４４、５４２、５４４、８４０、８４２  透明部材
５０、１５０、２５０  フレーム
５２  第１フレーム部
５４  第２フレーム部
２３６、４３６  第２ハーフミラー
２６０  スペーサ
３１２ａ  発光面
３２２  基板本体
３２６  ランド部
４３４ｂ、９６０ｂ  フランジ部
５００、６００、７００、８００  車両用灯具
５０２、６０２、８０２  透光カバー
５０４、６０４、７０４、８０４  ランプボディ
５０４Ａ、７０４Ａ  ランプボディ本体
５０４Ｂ  カバー
８４０Ａ  鉛直板状部
８４０Ｂ  水平板状部
８４０Ｂａ  前端面
９３６  ハーフミラー
９４４  透明部材（第１透明部材）
９４６  透明部材（第２透明部材）
９６０  ホルダー
Ｉ、Ｉａ、Ｉｂ  像
【図１】
0006518114.tif 000002
【図２】
0006518114.tif 000003
【図３】
0006518114.tif 000004
【図４】
0006518114.tif 000005
【図５】
0006518114.tif 000006
【図６】
0006518114.tif 000007
【図７】
0006518114.tif 000008
【図８】
0006518114.tif 000009
【図９】
0006518114.tif 000010
【図１０】
0006518114.tif 000011
【図１１】
0006518114.tif 000012
【図１２】
0006518114.tif 000013
【図１３】
0006518114.tif 000014
【図１４】
0006518114.tif 000015
【図１５】
0006518114.tif 000016
【図１６】
0006518114.tif 000017
【図１７】
0006518114.tif 000018